(57)【特許請求の範囲】
【請求項１】
入口と出口とを有するハウジングであって、
前記ハウジングが、前記入口と前記出口との間の通り道をさらに含み、
前記ハウジングが、前記入口から前記出口にマスを移動させるために、前記入口に強制された前記マスを有するように構成され、
前記ハウジングが、前記通り道に隣接する一対の回転スクリーンを含み、前記通り道は前記回転スクリーンの間の領域にて画定され、
前記回転スクリーンの各々が、前記通り道に位置する複数の開口を含む、前記ハウジングを備え、
前記入口に強制された前記マスからの圧力が、前記回転スクリーンの開口に対して、前記マスに圧力を掛け、それによって前記マスの液体の少なくとも一部分に前記回転スクリーンの開口を通過することを強制し、
前記ハウジングが、前記入口と前記出口との間の前記通り道の中に延びる少なくとも１つの攪拌アームを有し、前記少なくとも１つの攪拌アームが、前記通り道の前記マスを攪拌し、そして
前記少なくとも１つの攪拌アームの少なくとも大部分が、前記回転スクリーンの間の前記通り道に位置し、そして前記少なくとも１つの攪拌アームが、より多くの液体が前記回転スクリーンを通過できるように、前記マスの均一性を向上させるように移動させるために、前記マスが前記通り道を通って部分的に移動した後、前記マスを混合するように構成されていることを特徴とするマスから液体を抽出するための液体抽出アセンブリ。
【請求項２】
前記入口は、前記出口の下方に位置することを特徴とする請求項１に記載のマスから液体を抽出するための液体抽出アセンブリ。
【請求項３】
前記少なくとも１つの攪拌アームは、シリンダと、前記シリンダから径方向に延びるらせん形のフィンとを備えるオーガであることを特徴とする請求項１又は２に記載のマスから液体を抽出するための液体抽出アセンブリ。
【請求項４】
前記回転スクリーンのスクリーン回転軸は、前記オーガのオーガ回転軸に対して実質的に垂直に存在することを特徴とする請求項３に記載のマスから液体を抽出するための液体抽出アセンブリ。
【請求項５】
前記らせん形のフィンは、一定ピッチを有することを特徴とする請求項３又は４に記載のマスから液体を抽出するための液体抽出アセンブリ。
【請求項６】
前記らせん形のフィンは、可変ピッチを有することを特徴とする請求項３又は４に記載のマスから液体を抽出するための液体抽出アセンブリ。
【請求項７】
前記らせん形のフィンは、少なくとも１つの前記回転スクリーンに対して当接することを特徴とする請求項３〜６のいずれか一項に記載のマスから液体を抽出するための液体抽出アセンブリ。
【請求項８】
前記通り道の外周の少なくとも一部分を中央シールが取り囲み、
前記中央シールは、前記らせん形のフィンの一部分を中に入れるための環状溝を含むことを特徴とする請求項３〜７のいずれか一項に記載のマスから液体を抽出するための液体抽出アセンブリ。
【請求項９】
前記らせん形のフィンは、前記環状溝に対して当接することを特徴とする請求項８に記載のマスから液体を抽出するための液体抽出アセンブリ。
【請求項１０】
入口と出口とを有するハウジングを設けることと、
前記入口と前記出口との間の通り道を設けることと、
前記入口から前記出口にマスを移動させるために、前記ハウジングの前記入口の中に前記マスを強制することと、
前記通り道が一対の回転スクリーンの間の領域により画定され、前記回転スクリーンの各々が前記通り道に位置する複数の開口を含んで、前記通り道に隣接する前記一対の回転スクリーンを前記ハウジングに設けることと、
前記回転スクリーンの各々を回転することと、
前記回転スクリーンの開口に対して前記マスに圧力を掛け、それによって前記マスの液体の少なくとも一部分に前記回転スクリーンの開口を通過することを強制することと、
前記入口と前記出口との間の前記通り道の中に少なくとも１つの攪拌アームを延ばすことと、
前記少なくとも１つの攪拌アームによって前記通り道の前記マスを攪拌することとを含み、そして
前記少なくとも１つの攪拌アームの少なくとも大部分が、前記回転スクリーンの間の前記通り道に位置し、そして前記少なくとも１つの攪拌アームが、より多くの液体が前記回転スクリーンを通過できるように、前記マスの均一性を向上させるように移動させるために、前記マスが前記通り道を通って部分的に移動した後、前記マスを混合するように構成されていることを特徴とするマスから液体を抽出する方法。
【請求項１１】
前記出口の下方に前記入口を位置させることをさらに含むことを特徴とする請求項１０に記載のマスから液体を抽出する方法。
【請求項１２】
前記少なくとも１つの攪拌アームは、シリンダと、前記シリンダから径方向に延びるらせん形のフィンとを備えるオーガであることを特徴とする請求項１０又は１１に記載のマスから液体を抽出する方法。
【請求項１３】
前記回転スクリーンのスクリーン回転軸は、前記オーガのオーガ回転軸に対して実質的に垂直に存在することを特徴とする請求項１２に記載のマスから液体を抽出する方法。
【請求項１４】
前記らせん形のフィンは、一定ピッチを有することを特徴とする請求項１２又は１３に記載のマスから液体を抽出する方法。
【請求項１５】
前記らせん形のフィンは、可変ピッチを有することを特徴とする請求項１２又は１３に記載のマスから液体を抽出する方法。
【請求項１６】
少なくとも１つの前記回転スクリーンに対して、前記らせん形のフィンを当接することをさらに含むことを特徴とする請求項１２〜１５のいずれか一項に記載のマスから液体を抽出する方法。
【請求項１７】
前記通り道の外周の少なくとも一部分を中央シールによって取り囲むことと、
前記中央シールの環状溝の内部で前記らせん形のフィンの一部分を中に入れることとをさらに含むことを特徴とする請求項１２〜１６のいずれか一項に記載のマスから液体を抽出する方法。
【請求項１８】
前記環状溝に対して、前記らせん形のフィンを当接することをさらに含むことを特徴とする請求項１７に記載のマスから液体を抽出する方法。
【請求項１９】
前記少なくとも１つの攪拌アームは、前記回転スクリーンの回転軸に実質的に垂直な回転軸を有することを特徴とする請求項１に記載のマスから液体を抽出するための液体抽出アセンブリ。
【請求項２０】
前記少なくとも１つの攪拌アームは、前記回転スクリーンの回転軸に実質的に垂直な回転軸線を有することを特徴とする請求項１０に記載のマスから液体を抽出する方法。
【請求項２１】
前記少なくとも１つの攪拌アームは、前記出口を通って延びないことを特徴とする請求項１〜９及び１９のいずれか一項に記載のマスから液体を抽出するための液体抽出アセンブリ。
【請求項２２】
前記少なくとも１つの攪拌アームは、前記出口を通って延びないことを特徴とする請求項１０〜１８及び２０のいずれか一項に記載のマスから液体を抽出する方法。
【請求項２３】
前記少なくとも１つの攪拌アームは、前記入口と前記出口との間の前記通り道の外側壁を通って延びることを特徴とする請求項１〜９、１９及び２１のいずれか一項に記載のマスから液体を抽出するための液体抽出アセンブリ。
【請求項２４】
前記少なくとも１つの攪拌アームは、前記入口と前記出口との間の前記通り道の外側壁を通って延びることを特徴とする請求項１０〜１８、２０及び２２のいずれか一項に記載のマスから液体を抽出する方法。
【発明の詳細な説明】
【技術分野】
【０００１】
（関連出願に対する相互参照） 
本件は、２０１４年４月８日に出願された米国仮特許出願第６１／９７６５４４号の利益を主張し、その開示の全体が参照によって本明細書に組み込まれる。
【０００２】
本発明は、液体抽出アセンブリ（機械）に関し、より詳細には、回転ファンプレス機を有するアセンブリ（機械）に関する。 
【背景技術】
【０００３】
スラッジ、スラリー、または他の湿潤材料を供給し、圧縮し、液体抽出し、洗浄し、および化学処理するための装置が周知である。このような設備は、パルプ製紙工業、廃水処理、選鉱、農業、食品加工、漁業、醸造所、ワイナリー、化学処理、オイルおよびタールサンド工業などにおいて、特別な適用を見出す。
スラッジ、スラリー、または他の湿潤材料を供給し、圧縮し、液体抽出し、洗浄し、および化学処理するための向上した装置が望まれている。
【先行技術文献】
【特許文献】
【０００４】
【特許文献１】米国特許第４、５３４、８６８号明細書
【発明の概要】
【発明が解決しようとする課題】
【０００５】
ところが、従来、廃棄が容易である廃棄固形物を生成するために、湿潤マスから液体の一部分を除去することが困難であった。 
【０００６】
そこで、本発明は、廃棄が容易である廃棄固形物を生成するために、湿潤マスから液体の一部分を除去することができるオーガを有する回転ファンプレス機を提供することを目的とする。
【課題を解決するための手段】
【０００７】
本発明の１つの態様は、入口および出口を有するハウジングを備える、マス（ｍａｓｓ）から液体を抽出するための液体抽出アセンブリを提供することである。ハウジングは、入口と出口との間の通り道をさらに含む。ハウジングは、入口から出口にマスを移動させるために、入口に強制されたマスを有するように構成されている。ハウジングは、通り道に隣接する少なくとも１つの回転スクリーンを含み、少なくとも１つの回転スクリーンは通り道の１つの壁を画定する。少なくとも１つの回転スクリーンは、通り道に位置する複数の開口を含む。入口に強制されたマスからの圧力が、回転スクリーンの開口に対して、マスに圧力を掛け、それによってマスの液体の少なくとも一部分を、少なくとも１つの回転スクリーンの開口を通過させる。ハウジングは、入口と出口との間の通り道の中に延びる少なくとも１つの攪拌アームを有し、少なくとも１つの攪拌アームは、通り道のマスを攪拌する。
本発明の別の態様は、入口と出口とを有するハウジングを設けることと、前記入口と前記出口との間の通り道を設けることと、前記入口から前記出口にマスを移動させるために、前記ハウジングの入口の中に前記マスを強制することと、前記通り道に隣接する前記少なくとも１つの回転スクリーンを前記ハウジングに設けることとを含む、マスから液体を抽出する方法を提供することである。少なくとも１つの回転スクリーンは、通り道の１つの壁を画定する。少なくとも１つの回転スクリーンは、通り道に位置する複数の開口を含む。本方法は、前記少なくとも１つの回転スクリーンを回転することと、前記回転スクリーンの開口に対して前記マスに圧力を掛け、それによって前記マスの液体の少なくとも一部分に前記少なくとも１つの回転スクリーンの開口を通過することを強制することと、前記入口と前記出口との間の前記通り道の中に延びる少なくとも１つの攪拌アームを延ばすことと、前記少なくとも１つの攪拌アームによって前記通り道の前記マスを攪拌することとをさらに含む。
【発明の効果】
【０００８】
本発明は、廃棄が容易である廃棄固形物を生成するために、湿潤マスから液体の一部分を除去することができる。 
【図面の簡単な説明】
【０００９】
【図１】本発明のマスから液体を抽出するためのシステムの平面図である。（実施例）
【図２】本発明のマスから液体を抽出するためのシステムの正面図である。（実施例）
【図３】本発明のマスから液体を抽出するためのシステムの側面図である。（実施例）
【図４】本発明のマスから液体を抽出するためのシステムの概略図である。（実施例）
【図５】本発明のシステムの液体抽出アセンブリおよびモータアセンブリの後方分解斜視図である。（実施例）
【図６】本発明の液体抽出アセンブリの分解断面図である。（実施例）
【図６Ａ】本発明のシステムの、一対の液体抽出アセンブリおよびモータアセンブリの伝達ハウジングの断面図である（実施例）。
【図７】本発明の液体抽出アセンブリの回転スクリーンアセンブリの断面図である。（実施例）
【図８】本発明の液体抽出システムの液体抽出アセンブリの内側ハウジングシェルおよびモータアセンブリの図である。（実施例）
【図９】本発明の液体抽出システムの液体抽出アセンブリの内側ハウジングシェルおよびモータアセンブリの側面図である。（実施例）
【図１０】本発明の液体抽出アセンブリのハウジングの内側ハウジングシェルの第１の側面図である。（実施例）
【図１１】本発明の液体抽出アセンブリのハウジングの内側ハウジングシェルの第２の側面図である。（実施例）
【図１２】本発明の液体抽出アセンブリの中央シールの側面図である。（実施例）
【図１３】本発明の液体抽出アセンブリの中央シールの正面図である。（実施例）
【図１４】本発明の液体抽出アセンブリの回転スクリーンアセンブリの駆動ホイールの第１の側面図である。（実施例）
【図１５】本発明の液体抽出アセンブリの回転スクリーンアセンブリの穴あきフィルタスクリーンおよび駆動ホイールの第２の側面図である。（実施例）
【図１６】本発明の穴あきフィルタスクリーンの断面図である。（実施例）
【図１７】本発明の液体抽出アセンブリのモータアセンブリ、内側ハウジングシェル、穴あきフィルタスクリーン、駆動ホイール、駆動シャフト、および中央シールの側面図である。（実施例）
【図１８】本発明の液体抽出アセンブリのモータアセンブリ、内側ハウジングシェル、回転スクリーンアセンブリ、駆動シャフト、および中央シールの側面図である。（実施例）
【図１９】第１位置における本発明の液体抽出アセンブリの出口の端部の図である。（実施例）
【図１９Ａ】第２位置における本発明の液体抽出アセンブリの出口の端部の図である。（実施例）
【図１９Ｂ】本発明の液体抽出アセンブリの出口側の断面図である。（実施例）
【図１９Ｃ】本発明の第２の実施形態の液体抽出アセンブリの出口側の断面図である。（実施例）
【図１９Ｄ】本発明の液体抽出アセンブリの第３の実施形態の出口の端部の図である。（実施例）
【図１９Ｅ】本発明の液体抽出アセンブリの第４の実施形態の出口の端部の図である。（実施例）
【図２０】本発明の中央シールの第２の実施形態の側面図である。（実施例）
【図２１】本発明のマスから液体を抽出するためのシステムの第２の実施形態の側面図である。（実施例）
【図２２】本発明のマスから液体を抽出するためのシステムの第３の実施形態の部分正面図である。（実施例）
【図２３】本発明のマスから液体を抽出するためのシステムの第３の実施形態の液体抽出アセンブリの部分分解正面図である。（実施例）
【図２４】本発明のマスから液体を抽出するためのシステムの第３の実施形態の中央シールの側面図である。（実施例）
【図２５】本発明のマスから液体を抽出するためのシステムの第３の実施形態の液体抽出アセンブリの内側ハウジング部材の側面図である。（実施例）
【図２６】本発明のマスから液体を抽出するためのシステムの第３の実施形態の部分後方図である。（実施例）
【図２７】本発明のマスから液体を抽出するためのシステムの第３の実施形態の液体抽出アセンブリの内側ハウジング部材の側面図である。（実施例）
【図２８】本発明のマスから液体を抽出するためのシステムの第３の実施形態の回転スクリーンアセンブリの外側側面視の斜視図である。（実施例）
【図２９】本発明の回転スクリーンアセンブリの、マスから液体を抽出するためのシステムの第３の実施形態の内側側面視の斜視図である。（実施例）
【図３０】帯電プレートの使用を示す液体抽出プレス機の断面図である。（実施例）
【図３１】本発明のマスから液体を抽出するためのシステムの第４の実施形態の部分正面図である。（実施例）
【図３２】マスから液体を抽出するためのシステムの第４の実施形態のシール、回転スクリーンアセンブリ、およびハウジングを示す、本発明のマスから液体を抽出するためのシステムの第４の実施形態の拡大図である。（実施例）
【図３２Ａ】マスから液体を抽出するためのシステムの第４の実施形態のシール、回転スクリーンアセンブリ、およびハウジングを示す、本発明のマスから液体を抽出するためのシステムの第４の実施形態に対する代替の拡大図である。（実施例）
【図３３Ａ】本発明のマスから液体を抽出するためのシステムの第４の実施形態のシールの側面図である。（実施例）
【図３３Ｂ】本発明のマスから液体を抽出するためのシステムの第４の実施形態のシールの断面図である。（実施例）
【図３４】本発明のマスから液体を抽出するためのシステムの第５の実施形態の部分正面図である。（実施例）
【図３５】図３４のＡによる本発明のマスから液体を抽出するためのシステムの第５の実施形態の一部分の分解図である。（実施例）
【図３６】閉鎖位置における本発明のマスから液体を抽出するためのシステムの第５の実施形態の分割壁の斜視図である。（実施例）
【図３７】閉鎖位置における本発明のマスから液体を抽出するためのシステムの第５の実施形態の分割壁の斜視図である。（実施例）
【図３８】本発明のマスから液体を抽出するためのシステムの第６の実施形態の部分前方斜視図である。（実施例）
【図３９】本発明のマスから液体を抽出するためのシステムの第６の実施形態の部分側面図である。（実施例）
【図４０】本発明のマスから液体を抽出するためのシステムの第６の実施形態の膨張可能チューブへの入口の近接した図である。（実施例）
【図４１Ａ】本発明のマスから液体を抽出するためのシステムの第６の実施形態のシールの側面図である。（実施例）
【図４１Ｂ】本発明のマスから液体を抽出するためのシステムの第６の実施形態のシールの断面図である。（実施例）
【図４２】壁が取り除かれた本発明のマスから液体を抽出するためのシステムの第６の実施形態の液体抽出アセンブリの側面図である。（実施例）
【図４３】本発明のマスから液体を抽出するためのシステムの第６の実施形態の液体抽出アセンブリの第１近接上方斜視図である。（実施例）
【図４４】本発明のマスから液体を抽出するためのシステムの第６の実施形態の液体抽出アセンブリの近接上方正面図である。（実施例）
【図４５】本発明のマスから液体を抽出するためのシステムの第６の実施形態の液体抽出アセンブリの第２近接上方斜視図である。（実施例）
【図４６】スクレーパ溝を有する中央シールを示す、本発明のマスから液体を抽出するためのシステムの第６の実施形態の液体抽出アセンブリの第１部分側面図である。（実施例）
【図４７Ａ】本発明のマスから液体を抽出するためのシステムの第６の実施形態の液体抽出アセンブリの、スクレーパ溝を有する中央シールの側面図である。（実施例）
【図４７Ｂ】本発明のマスから液体を抽出するためのシステムの第６の実施形態の液体抽出アセンブリの、スクレーパ溝を有する中央シールの端部の図である。（実施例）
【図４８】ノズルを示す、本発明のマスから液体を抽出するためのシステムの第６の実施形態の液体抽出アセンブリの第１部分側面図である。（実施例）
【図４９】本発明のマスから液体を抽出するためのシステムの第６の実施形態の液体抽出アセンブリのノズルの頂部の斜視図である。（実施例）
【図５０】本発明のマスから液体を抽出するためのシステムの第６の実施形態の液体抽出アセンブリのノズルの側面図である。（実施例）
【図５１】本発明のマスから液体を抽出するためのシステムの第６の実施形態の液体抽出アセンブリのノズルの出口の図である。（実施例）
【図５２】本発明のマスから液体を抽出するためのシステムの第６の実施形態の液体抽出アセンブリのノズルの入口の図である。（実施例）
【図５３】本発明のマスから液体を抽出するためのシステムの第７の実施形態の側断面図である。（実施例）
【図５４】本発明のマスから液体を抽出するためのシステムの第７の実施形態のオーガアセンブリの斜視図である。（実施例）
【図５５】本発明のマスから液体を抽出するためのシステムの第８の実施形態の側断面図である。（実施例）
【図５６】本発明のマスから液体を抽出するためのシステムの第８の実施形態の中央シールの斜視図である。（実施例）
【図５７】本発明のマスから液体を抽出するためのシステムの第８の実施形態の中央シールの側面図である。（実施例）
【図５８】本発明のマスから液体を抽出するためのシステムの第８の実施形態の中央シールの正面図である。（実施例）
【図５９】本発明のマスから液体を抽出するためのシステムの第８の実施形態の中央シールの左側部分の側面図である。（実施例）
【図６０】本発明のマスから液体を抽出するためのシステムの第８の実施形態の中央シールの中央部分の側面図である。（実施例）
【図６１】本発明のマスから液体を抽出するためのシステムの第８の実施形態の中央シールの中央伸長部分の側面図である。（実施例）
【発明を実施するための形態】
【００１０】
ここで説明するために、「上の」、「下の」、「右」、「左」、「後ろ」、「前」、「垂直の」、「水平の」という用語、およびそれの派生物は、図１で方向付けられた本発明に関するものとする。しかしながら、それとは反対に明示的に明細書に特定されたものを除いて、本発明が様々な代替の配向性を想定してもよいことが理解されるべきである。添付図面に示され、以下の明細書で説明される個別の装置およびプロセスが、単に、添付の特許請求の範囲で規定された本発明の概念の例示の実施形態であることも理解されるべきである。したがって、ここで開示された実施形態に関する個別の寸法および他の物理的な特性は、明示的に記述されない場合、限定として考えられるべきではない。
【実施例】
【００１１】
本発明は、パルプ製紙業、廃水処理プラント、農業、食料および飲料産業などで使用または生産されるものとしての湿潤マス（例えば、スラッジおよびスラリー）から液体を抽出するための装置および方法に関する。本発明にかかる装置および方法は、その開示が参照によってこの中に取り込まれた米国特許第４，５３４，８６８号明細書に記載されたシステムおよび方法と同一の基本的な抽出原理に基づいて動作する。本発明は、廃棄が容易である廃棄固形物を生成するために、湿潤マスから液体の一部分を除去するように使用される。
【００１２】
参照符号１０（図１から図４）は、一般に、マスから液体を抽出するためのシステムを示す。図示された、マスから液体を抽出するためのシステム１０は、上面１４を有するプラットフォーム１２、システムマス流入部１６、上面１４のポリマー供給混合システム１８、上面１４の液体抽出アセンブリ４０、並びにシステムマス流入部１６とポリマー供給混合システム１８との間の第１部分２４およびポリマー供給混合システム１８と液体抽出アセンブリ４０との間の第２部分２６を有するパイプ２２を備える。システム１０は、システムマス流入部１６に流入されるマスを有し、マスをパイプ２２の第１部分２４を通してポリマー供給混合システム１８に輸送し、ポリマー供給混合システム１８のマスの中にポリマーを注入し、ポリマー供給混合システム１８から液体抽出アセンブリ４０にマスを輸送するように構成されている。液体抽出アセンブリ４０の中に強制されたマスからの圧力は、マス内の液体にマスを出ていくように強制する。図示された実施形態では、液体抽出アセンブリ４０は、一対の液体抽出プレス機１１を備える。しかしながら、本発明の液体抽出アセンブリ４０が、下でより詳細に説明されるような（１つのみを含む）任意の数の液体抽出プレス機１１を使用できることが熟考される。
【００１３】
図示された実施形態では、システム１０は、（図４に概略的に示されるような）マス源を含むことができるか、または（図１に示されるような）マス源に連結されるように構成することができる。マスは、望ましくは、湿潤マス（例えば、スラッジおよびスラリー）である。上で記述されたように、マスは、パルプ製紙業、廃水処理プラント、農業、食料および飲料産業などで使用または生産されたものであることができる。本発明のシステム１０は、マスの液体の少なくとも一部分を除去する。図示された実施形態では、システム１０は、運搬可能であり、パルプ製紙業、廃水処理プラント、農業、食料および飲料産業などに直接持ち込むことができ、それらの位置で使用することができる。システムマス流入部１６は、マス源からシステム１０にマスを輸送するホースに連結されるように構成されている。望ましくは、システム１０は、小型であり容易に移動可能なシステムを提供するために７２平方フィートよりも狭い上面１４を有するプラットフォーム１２上に位置している。しかしながら、本明細書で開示された本発明の特徴のいくつかは、静止した固定システムで使用することができる。静止した固定システムでは、マス源は、マスを有するとともにシステムマス流入部１６と連通するタンク２１（図４参照）を含むことができる。
【００１４】
図示されたシステム１０は、望ましくは、マス源からホースを通してまたはタンク２１からマスを引き込むことを補助するためのマス供給ポンプ２７を含む。マス供給ポンプ２７は、パイプ２２を通して液体抽出アセンブリ４０の中に、そして液体抽出アセンブリ４０を通してマスを移動させることを補助するために、マスに圧力も与える。マス供給ポンプ２７は、当業者に周知である。マスは、マス供給ポンプ２７を通り過ぎた後、ポリマー供給混合システム１８に供給される。ポリマー供給混合システム１８は、ポリマー供給混合システム１８のポリマーに水を混合するための水供給部２９に連結されるように構成されている。図示された例では、システム１０は、ポリマー供給混合システム１８に水を供給するための水供給部に連結するためのフィッティング３１を含む。ポリマー供給混合システム１８は、パイプ２２の第１部分２４および第２部分２６に連結された注入領域２８を含み、第１部分２４から第２部分２６への移行部を画定する。ポリマーに水を混合した後、マスがパイプ２２の第２部分２６に移動する前に、水とポリマーとを組み合わせたものが第１部分２４からのマスに混合するために、注入領域２８の中に注入される。ポリマー供給混合システム１８およびその中で使用されるポリマーは、当業者に周知である。ポリマーは、望ましくは、従来知られたポリアクリルアミドのようなポリマーフロックレント（ｆｌｏｃｃｕｌｅｎｔ）である。しかしながら、ポリマーを加えることなく、そして、ポリマー供給混合システム１８なしで、システム１０を使用できることが熟考される。例えば、製粉の削りくずのようなマスは、システム１０を使用して、ポリマーなしで液体除去することができる。
【００１５】
図示された例では、マスがパイプ２２の第２部分２６に移動すると、マスは、パイプ２２の第２部分２６の調整可能な混合弁３０で、ポリマーと水とを組み合わせたものと十分に混合される。パイプ２２の第２部分２６は、望ましくは、混合弁３０からパイプ２２の第２部分２６の頂部に垂直上向きに延びる第１部分３２を含む。パイプ２２の第２部分２６は、それぞれの列３６が１つの端部で列３６に上方に連結され別の端部で列３６に下方に連結された、複数の水平の列３６のパイプを備える第２部分３４も含む。パイプ２２の第２部分２６の第２部分３４は、液体抽出アセンブリ４０に連結され、マスが液体抽出アセンブリ４０に供給される。図示された実施形態では、パイプ２２の第２部分２６は、パイプ２２の第２部分２６のマスが液体抽出アセンブリ４０を迂回できるようにするために、選択的に開く弁を有するマス迂回チューブ３８を含む。マス源の中に、またはシステムマス流入部１６の中に直接的にまたは間接的に第２部分２６から取り出されたマスを置くことによって、パイプ２２の第２部分２６から取り出されたマスをシステム１０の中に再挿入できることが熟考される。同様に、パイプ２２の第２部分２６は、１つまたは複数上の液体抽出プレス機１１の中に第２部分２６のマスを選択的に供給できるようにするために、液体抽出アセンブリ４０の液体抽出プレス機１１それぞれのための抽出弁を含むことができる。図４は、システム１０の概略図を示す。図４に概略的に示されるように、システム１０は、マスを（図示されていない）廃棄装置または回収装置に移動させるために、１つまたは複数の液体抽出アセンブリ４０を出ていくマスの固形物部分を中に入れるための少なくとも１つのコンベヤ３５を含むことができる。
【００１６】
図示された例では、液体抽出アセンブリ４０は、マスをパイプ２２から中に入れ、固形物と、液体の少なくとも一部分とを作り出す。本発明の液体抽出アセンブリ４０は、モータアセンブリ４４に連結された一対の液体抽出プレス機１１を含む。図示された例では、本発明のシステム１０は、モータアセンブリ４４を共有する一対の液体抽出プレス機１１を備える。しかしながら、単一の液体抽出プレス機１１を使用することができるか、または各液体抽出プレス機１１がそれ自体のモータアセンブリ４４を有することができることが熟考される。さらに、システム１０は、任意の数の液体抽出プレス機１１を含むこともできる。
【００１７】
図示されたモータアセンブリ４４は、液体抽出プレス機１１に動力を供給する。モータアセンブリ４４は、直立のモータ５１、伝達ハウジング５３、および支持部５５を含む。支持部５５は、液体抽出プレス機１１間のプラットフォーム１２から上向きに延びている。直立のモータ５１は、伝達ハウジング５３の中に延びている（図示されていない）垂直の回転出力シャフトを含む。伝達ハウジング５３は、当業者に周知の方法（例えば、ウォームギヤまたは任意の他の手段）で、直立のモータ５１の垂直な回転出力シャフトの回転運動を、水平のモータアセンブリ出力シャフト５７（図６Ａ参照）に伝達する。モータアセンブリ出力シャフト５７は、第１の液体抽出プレス機１１の中に延びる第１端６５と、第２の液体抽出プレス機１１の中に延びる第２端５９とを含む。図５および図６Ａに示されるように、モータアセンブリ出力シャフト５７の第１端６５および第２端５９は、それぞれ、円筒部分６１と、円筒部分６１の長手方向の表面に沿って延びるキーフランジ６３とを含む。モータアセンブリ出力シャフト５７の第１端６５および第２端５９は、下でより詳細に説明されるように、液体抽出プレス機１１に動力を供給する。
【００１８】
図５、図６、および図６Ａに示されるように、各液体抽出プレス機１１は、外側ハウジングシェル４６および内側ハウジングシェル４８を含むハウジング４２を備える。内側ハウジングシェル４８（図５、図６、および図８から図１１）は、円形ベース壁５２、ベース壁５２から延びる管状壁５４、およびベース壁５２の反対側の管状壁５４から延びる外縁フランジ５６を含む。円形ベース壁５２は、中央に位置する駆動シャフト開口５０と、駆動シャフト開口５０を取り囲む複数の締結体開口５８とを含む。締結体開口５８は、内側ハウジングシェル４８をモータアセンブリ４４に連結するために、締結体を中に入れるように構成されている。液体抽出アセンブリ４０が、下で説明されるように、液体抽出アセンブリ４０を洗浄するように構成されているとき、ベース壁５２と管状壁５４との間の縁は、洗浄液を内側ハウジングシェル４８の中に注入できるようにするための３つの衛生穴６０を含む。３つの衛生穴６０が示されているが、任意の数の衛生穴６０を採用することもできる。衛生穴６０は、液体抽出アセンブリ４０の通常の使用中、塞ぐことができるか、または液体抽出アセンブリ４０を洗浄するために、液体抽出アセンブリ４０の中に水または他の洗浄液を注入できるように、開くことができる。衛生穴６０が、一般的なガーデンホースに連結するために、ねじ山の付いた外面を有することができることが熟考される。管状壁５４は、管状壁５４の底部に位置するろ液排液部６２をさらに含む。ろ液排液部６２は、マスから抽出された液体および液体抽出アセンブリ４０の中に注入された任意の洗浄液が液体抽出アセンブリ４０から出ていくことができるようにする。内側ハウジングシェル４８の外縁フランジ５６は、環状部分６４、リップ部分６６を延ばす底部、およびノーズ部分６８を含む。リップ部分６６を延ばす底部、およびノーズ部分６８は、開口部７０を画定する。下でより詳細に説明されるように、開口部７０は、その中に挿入された移動可能な側壁７２（図１９および図１９Ａ参照）を有するように構成されている。環状部分６４、リップ部分６６を延ばす底部、およびノーズ部分６８は、全て、（下で説明される）中央シール７６と外側ハウジングシェル４６とを内側ハウジングシェル４８に連結するための複数の連結開口７４を含む。内側ハウジングシェル４８および外側ハウジングシェル４６は、（外側ハウジングシェル４６が駆動シャフト開口５０、口７０、および下で記載される他の細部を含まないことを除いて、）互いに、実質的に鏡像である。
【００１９】
図示された例では、外側ハウジングシェル４６は、円形ベース壁５２’、ベース壁５２’から延びる管状壁５４’、およびベース壁５２’の反対側の管状壁５４’から延びる外縁フランジ５６’を含む。円形ベース壁５２’は、液体抽出アセンブリ４０の内部を見るための、円形ベース壁５２’に中央に位置する窓７８を含むことができる。液体抽出アセンブリ４０が、下で説明されるように、液体抽出アセンブリ４０を洗浄するように構成されるとき、ベース壁５２’と管状壁５４’との間の縁は、洗浄液を内側ハウジングシェル４８の中に注入できるようにするための３つの衛生穴６０’を含む。３つの衛生穴６０’が示されているが、任意の数の衛生穴６０’を採用することもできる。衛生穴６０’は、液体抽出アセンブリ４０の通常の使用中、塞ぐことができるか、または液体抽出アセンブリ４０を洗浄するために、液体抽出アセンブリ４０の中に水または他の洗浄液を注入できるように、開くことができる。管状壁５４’は、管状壁５４’の底部に位置するろ液排液部６２’をさらに含む。ろ液排液部６２’は、マスから抽出された液体および液体抽出アセンブリ４０の中に注入された任意の洗浄液が液体抽出アセンブリ４０から出ていくことができるようにする。内側ハウジングシェル４８’の外縁フランジ５６’は、環状部分６４’と、環状部分６４’から延びる伸長部分８０とを含む。伸長部分８０は、内側ハウジングシェル４８の、リップ部分６６を延ばす底部、ノーズ部分６８、および開口部７０と実質的に同一である外縁形を有する。環状部分６４’および伸長部分８０は、（下で説明される）中央シール７６および内側ハウジングシェル４８を外側ハウジングシェル４６に連結するための、内側ハウジングシェル４８の連結開口７４’に対応する複数の連結開口７４’を含む。 
【００２０】
図示された中央シール７６（図５、図６、図６Ａ、図１２、および図１３）は、内側ハウジングシェル４８と外側ハウジングシェル４６との間に配置され、液体抽出アセンブリ４０の液体抽出プレス機１１の１つを通って移動するマスの上方および下方の境界を画定する。中央シール７６は、液体抽出プレス機１１を通るスラッジのための入口および出口も画定する。中央シール７６は、外側Ｃ形部分８２、スクレーパ部分８４、第１入口プレート８６、および第２入口プレート８８を含む。外側Ｃ形部分８２は、入口伸長部９０および出口伸長部９２を含む。入口伸長部９０は、第１入口プレート８６および第２入口プレート８８の頂縁を中に入れるように構成された一対の溝９４を含む。外側Ｃ形部分８２の出口伸長部９２は、角度が付いた頂面９６を含む。スクレーパ部分８４は、外側Ｃ形部分８２の出口伸長部９２と入口伸長部９０との間に位置している。スクレーパ部分８４は、スクレーパ先端１００、頂面１０２、底面１０４、一対の側面１０６、および内側環状面９８と反対の端面１０８を有する内側環状面９８を含む。一対の側面１０６における一対の上方溝１１０は、第１入口プレート８６および第２入口プレート８８の底縁を中に入れるように構成されている。スクレーパ部分８４の底面１０４および外側Ｃ形部分８２の出口伸長部９２の角度が付いた頂面９６は、外側に先細りする、スラッジの固形物部分の出口のための頂面および底面を画定する。側壁７２および伸長部分８０の少なくとも１つが、下で説明されるように、作動可能な締め付けプレートを選択的に含むことができることが熟考される。外側Ｃ形部分８２、スクレーパ部分８４、第１入口プレート８６、および第２入口プレート８８は、それぞれ、下で説明されるように、中央シール７６を内側ハウジングシェル４８および外側ハウジングシェル４６に連結するための連結開口１２２を含む。
【００２１】
図示された例では、回転スクリーンアセンブリ２００（図７）は、中央シール７６を取り囲み、スラッジから液体部分を除去することを補助する。回転スクリーンアセンブリ２００は、第１側駆動ホイール２０２、第１側穴あきフィルタスクリーン２０４、中央ハブ／スペーサ２０６、第２側穴あきフィルタスクリーン２０８、および第２側駆動ホイール２１０を含む。第１側駆動ホイール２０２および第２側駆動ホイール２１０は、望ましくは、同一であるが、向きが反対である。同様に、第１側穴あきフィルタスクリーン２０４および第２側穴あきフィルタスクリーン２０８は、望ましくは、同一であるが、向きが反対である。
【００２２】
図示された第１側駆動ホイール２０２および第２側駆動ホイール２１０（図５から図７）は、それぞれ、外側リム２１２、複数のスポーク２１４、および内側リムアセンブリ２１６を含む。外側リム２１２は、実質的に円形であり、内側外縁ノッチ２１３を含む。複数のスポーク２１４は、それぞれ、内側縁２１５、外側縁２１７、並びに内側端部２１９および外側端部２２１を含む。外側リムノッチ２２３は、内側縁２１５および外側端部２２１の交点に位置する。外側リム２１２は、外側リムノッチ２２３に位置する。スポーク２１４は、内側縁２１５および内側端部２１９の交点に位置する内側リムノッチ２２５も含む。内側リムアセンブリ２１６は、内側環状プレート２１８および管状駆動シャフト部材２２０を備える。内側環状プレート２１８は、スポーク２１４の内側リムノッチ２２５に位置する。内側環状プレート２１８は、円形伸長部材２２９の外側に、そして円形伸長部材２２９が延びるベース部分２２７の表面上に位置する中央スペーサ／ハブ支持ノッチ２３１を画定するベース部分２２７および円形伸長部材２２９を含む。内側環状プレート２１８のベース部分２２７は、その中に管状駆動シャフト部材２２０を有する後方ノッチ２３３も含む。内側環状プレート２１８および管状駆動シャフト部材２２０は、その中にモータアセンブリ出力シャフト５７の第１端６５または第２端５９を中に入れるための駆動シャフト開口２３５を画定する。モータアセンブリ出力シャフト５７の第１端６５または第２端５９のキーフランジ６３は、管状駆動シャフト部材２２０および内側環状プレート２１８がモータアセンブリ出力シャフト５７とともに回転することを保証するために、駆動シャフト開口２３５の駆動シャフトノッチ２３７の中に入れられる。
【００２３】
図示された例では、第１側穴あきフィルタスクリーン２０４および第２側穴あきフィルタスクリーン２０８（図５から図６Ａ、図１５、および図１６）は、それぞれ、外側リム２０５、複数の細長穴２０９を有する面２０７、および内側ハブ２３０を含む。複数のワイヤを外側リム２０５および内側ハブ２３０に連結し、それによって細長穴２０９を画定することによって、穴あきフィルタスクリーンを作製することができることが熟考される。代案として、（例えば、水または別の液体を使用して）環状プレートに細長穴をエッチングすることによって、穴あきフィルタスクリーン２０４，２０８を作製することができ、それによって、外側リム２０５、複数の細長穴２０９を有する面２０７、および内側ハブ２３０を形成することができることが熟考される。穴あきフィルタスクリーン２０４，２０８は、複数の細長穴２０９を有する面２０７の後ろ側を支持するための、外側リム２０５と内側ハブ２３０との間に延びる複数の支持バー２３２も含むことができる。細長穴２０９は、従来技術の穴あきプレートと比較して、穴あきフィルタスクリーン２０４，２０８上の広いろ過領域を可能にし、それによって高い固形物捕捉率および洗浄容易性を提供する。第１側駆動ホイール２０２および第２側駆動ホイール２１０のスポーク２１４は、穴あきフィルタスクリーン２０４，２０８の支持バー２３２に対して当接する。穴あきフィルタスクリーン２０４，２０８が２４インチおよび３６インチを含むいかなる直径も有することができることが熟考される。細長穴２０９は、望ましくは、（細長穴が穴あきフィルタスクリーン２０４，２０８の中央を横断する場合、中断を可能にして、）穴あきフィルタスクリーン２０４，２０８の外周上の第１点から、穴あきフィルタスクリーン２０４，２０８の外周上の第２点に延びている。図１６に示されるように、マスが液体抽出アセンブリ４０を通って移動するとき、細長穴２０９は、望ましくは、細長穴２０９の大きな端部がマスに対して当接する三角形を有する。
【００２４】
図示された液体抽出アセンブリ４０は、液体抽出プレス機１１をモータアセンブリ４４に連結することによって組み立てられている。下の説明では、１つの液体抽出プレス機１１のモータアセンブリ４４への連結のみが説明される。しかしながら、いかなる残りの液体抽出プレス機１１も同様の方法でモータアセンブリ４４に連結することができる。液体抽出プレス機１１をモータアセンブリ４４に連結する際、第１ステップは、図８および図９に示されるように、内側ハウジングシェル４８をモータアセンブリ４４に連結することである。内側ハウジングシェル４８は、モータアセンブリ出力シャフト５７の第２端５９を覆って、環状キャップ１１４（図６および図６Ａ参照）を第１に置くこと、および環状キャップ１１４をモータアセンブリ４４の伝達ハウジング５３に連結することによって、モータアセンブリ４４に連結されている。モータアセンブリ出力シャフト５７の第２端５９は、その後、内側ハウジングシェル４８の駆動シャフト開口５０を通して挿入される。内側ハウジングシェル４８は、その後、内側ハウジングシェル４８のベース壁５２の締結体開口５８を通して、（伝達ハウジング５３に連結された）環状キャップ１１４の中に締結体１１６を挿入することによって、モータアセンブリ４４に連結される。図６および図６Ａに示されるように、シール１１８は、モータアセンブリ出力シャフト５７と内側ハウジングシェル４８の駆動シャフト開口５０との間に位置している。
【００２５】
内側ハウジングシェル４８をモータアセンブリ４４に連結した後、回転スクリーンアセンブリ２００の第１側駆動ホイール２０２は、モータアセンブリ出力シャフト５７の第２端５９上でスライドされる。第１側駆動ホイール２０２は、モータアセンブリ出力シャフト５７の第２端５９のキーフランジ６３を上で説明されたように駆動シャフト開口２３５の駆動シャフトノッチ２３７の中に挿入して、モータアセンブリ出力シャフト５７の第２端５９を内側環状プレート２１８の駆動シャフト開口２３５および第１側駆動ホイール２０２の管状駆動シャフト部材２２０の中に挿入することによって、モータアセンブリ出力シャフト５７上でスライドされる。その後、中央ハブ／スペーサ２０６は、第１側駆動ホイール２０２の内側リムアセンブリ２１６の円形伸長部材２２９の周りに配置されている。第１側穴あきフィルタスクリーン２０４は、その後、第１側穴あきフィルタスクリーン２０４の内側ハブ２３０によって画定された開口１２０の内部に中央ハブ／スペーサ２０６を挿入することによって、中央ハブ／スペーサ２０６を覆って置かれる。第１側穴あきフィルタスクリーン２０４が中央ハブ／スペーサ２０６を覆うように完全にスライドされると、第１側穴あきフィルタスクリーン２０４は、第１側駆動ホイール２０２のスポーク２１４の内側縁２１５に対して当接し、第１側駆動ホイール２０２の内側外縁ノッチ２１３と中央ハブ／スペーサ２０６との間に位置する。第１側駆動ホイール２０２および第１側穴あきフィルタスクリーン２０４が、上で直接説明されたように、モータアセンブリ出力シャフト５７に完全に連結されているとき、第１側駆動ホイール２０２および第１側穴あきフィルタスクリーン２０４は、内側ハウジングシェル４８の内部に位置する。
【００２６】
第１側駆動ホイール２０２、第１側穴あきフィルタスクリーン２０４、および中央ハブ／スペーサ２０６が上で直接説明されたように組み立てられた後、中央シール７６は、図１７に示されるように、内側ハウジングシェル４８の外縁フランジ５６に対して位置決めされている。中央シール７６は、中央シール７６の連結開口１２２が内側ハウジングシェル４８の連結開口７４と一直線になるように位置決めされている。さらに、中央ハブ／スペーサ２０６の外面は、図１２に示されるように、中央シール７６のスクレーパ部分８４の内側環状面９８に当接する。その後、第２側穴あきフィルタスクリーン２０８は、第２側穴あきフィルタスクリーン２０８の内側ハブ２３０によって画定された開口１２０の内部に中央ハブ／スペーサ２０６を挿入することによって、中央ハブ／スペーサ２０６上でスライドされる。その後、第２側フィルタスクリーン２０８は、モータアセンブリ出力シャフト５７の第２端５９のキーフランジ６３を、上で説明されたように、駆動シャフト開口２３５の駆動シャフトノッチ２３７の中に挿入して、内側環状プレート２１８の駆動シャフト開口２３５および第２側駆動ホイール２１０の管状駆動シャフト部材２２０を通して、モータアセンブリ出力シャフト５７の第２端５９を挿入することによって、液体抽出プレス機１１に連結されている。さらに、円形伸長部材２２９は、中央ハブ／スペーサ２０６の中に挿入され、第２側穴あきフィルタスクリーン２０８は、第２側駆動ホイール２１０のスポーク２１４の内側縁２１５に対して当接し、第２側駆動ホイール２１０の内側外縁ノッチ２１３と中央ハブ／スペーサ２０６との間に位置している。さらに、複数の締結体１２４は、回転スクリーンアセンブリ２００を組み立てるために、図６および図６Ａに示されるように、第１側駆動ホイール２０２および第２側駆動ホイール２１０の内側リムアセンブリ２１６における開口を通して挿入されている。液体抽出プレス機１１のアセンブリは、この点まで、図１８に示されている。最終的に、外側ハウジングシェル４６は、中央シール７６に対して当接し、外側ハウジングシェル４６の連結開口７４’は、中央シール７６の連結開口１２２および内側ハウジングシェル４８の連結開口７４と一直線になり、締結体１２６は、内側ハウジングシェル４８、中央シール７６、および外側ハウジングシェル４６を連結するために、連結開口７４，７４’，１２２を通して挿入されている。特定のアセンブリ手順が上で説明されているが、液体抽出アセンブリ４０をいかなる方法でも組み立てることができることが熟考される。例えば、回転スクリーンアセンブリ２００は、液体抽出アセンブリ４０のハウジング４２に連結する前に、単一ピースとして組み立てることができる。さらに、Ｔ形シール４５を、一方の側で、中央シール７６、管状壁５４、第１側駆動ホイール２０２、および管状壁５４から延びる止め部４９間でくさびで留め、他方の側で、中央シール７６、管状壁５４’、第２側駆動ホイール２１０、および管状壁５４から延びる止め部４９間でくさびで留めて、図５から図６Ａに示された、外側ハウジングシェル４６と第２側駆動ホイール２１０との間に、そして、内側ハウジングシェル４８と第１側駆動ホイール２０２との間に位置するＴ形シール４５を液体抽出アセンブリ４０が含むことができることが熟考される。
【００２７】
液体抽出プレス機１１が上で説明したように組み立てられると、マスは、中央シール７６、第１側穴あきフィルタスクリーン２０４、第２側穴あきフィルタスクリーン２０８、中央スペーサ／ハブ２０６、外側ハウジングシェル４６の伸長部８０、および側壁７２によって画定された液体抽出プレス機１１を通る通り道を有する。図１９および図１９Ａに示されるように、側壁７２は、内側ハウジングシェル４８のリップ部分６６を延ばす底部、およびノーズ部分６８によって画定された開口部７０の内部に位置している。側壁７２は、１３４で開口部７０（図１と図９から図１１参照）の後方部分１３０にヒンジで取り付けられている。ヒンジ１３４を中心に側壁７２を回動するために、側壁７２は、外面に連結されたエアベローズ１３２を有する。図１９に示されるように、完全に閉じられた位置では、側壁７２は、外側ハウジングシェル４６の伸長部８０に実質的に平行である。しかしながら、図１９Ａに示されるように、液体抽出プレス機１１の出口を広くするために、エアベローズ１３２は、ヒンジ１３４を中心に側壁７２を回動するように作動させることができる。それゆえに、マスは、入口伸長部９０、第１入口プレート８６、第２入口プレート８８、および中央シール７６のスクレーパ部分８４の頂面１０２によって画定された液体抽出アセンブリ入口を通って、液体抽出プレス機１１の中に入る。その後、マスは、中央シール７６の外側Ｃ形部分８２の内面、第１側穴あきフィルタスクリーン２０４、第２側穴あきフィルタスクリーン２０８、および中央スペーサ／ハブ２０６によって画定された通り道の中で、中央シール７６の後方に向かって、中央ハブ／スペーサ２０６の周りに移動する。最終的に、マスは、中央シール７６のスクレーパ部分８４の底面１０４、出口伸長部９２の角度が付いた頂面９６、外側ハウジングシェル４６の伸長部８０、および側壁７２によって画定された液体抽出アセンブリ出口を通って、液体抽出アセンブリを出ていく。
【００２８】
使用時には、マスは、入口を通って液体抽出アセンブリ４０に入り、中央ハブ／スペーサ２０６の周りに強制される。中央シール７６およびハウジング４２が適切な位置に固定される一方、回転スクリーンアセンブリ２００は、上で説明したように、モータアセンブリ出力シャフト５７とともに回転する。パイプ２２のマスの圧力は、液体抽出アセンブリ４０を通ってスラッジを液体抽出アセンブリの出口に向かって強制する。しかしながら、スラッジが液体抽出アセンブリ４０を通って移動しているとき、マスのいずれかの側の穴あきフィルタスクリーン２０４，２０８は、米国特許第４，５３４，８６８号明細書に記載されたように、スラッジから液体部分を除去する。穴あきフィルタスクリーン２０４，２０８がスラッジから液体部分を除去するとき、液体は、回転スクリーンアセンブリ２００と、内側ハウジングシェル４８および外側ハウジングシェル４６のそれぞれとの間の一対の領域１８０（図６Ａ参照）を通って下に落ちる。その後、液体は、ろ液排液部６２を通ってハウジング４２を出ていく。さらに、図２に示されるように、ろ液排液部６２は、液体を廃棄するための別の液体出口要素に連結されるように適合された液体出口チューブ１９０に連結することができる。それゆえに、液体部分は、穴あきフィルタスクリーン２０４，２０８を通り、外側ハウジングシェル４６および内側ハウジングシェル４８それぞれのろ液排液部６２，６２’を通って下に流れる。マスが液体抽出アセンブリ４０の内部での環状の通り道の中で移動するとき、中央シール７６のスクレーパ部分８４のスクレーパ先端１００は、中央ハブ／スペーサ２０６からマスを掻き取り、マスを液体抽出アセンブリ４０の出口に移動させる。マスが液体抽出アセンブリ４０の出口に向かって移動するとき、マスは、主に（ほとんど全てまたは全てではない場合）、固形状物を形成するために、スラッジの固形物部分を含む。マス固形状物排出領域が真っ直ぐよりもむしろ上で説明したように外側へ先細りしているので、スラッジ固形状物をより良好に制御し、スラッジ固形状物の橋渡し、および／または結合を減少することができる。
【００２９】
図示された例では、液体抽出アセンブリ４０は、液体抽出プレス機１１、第１側穴あきフィルタスクリーン２０４、および第２側穴あきフィルタスクリーン２０８の内部を洗浄するためのいくつかの特徴を含む。第１に、中央シール７６のスクレーパ部分８４は、スクレーパ部分８４の側面１０６から上向きに延びる複数の入口スクレーパ１４０（図１２参照）を含む。入口スクレーパ１４０は、第１側穴あきフィルタスクリーン２０４および第２側穴あきフィルタスクリーン２０８が、入口スクレーパ１４０のそばを通り過ぎて回転するとき、第１側穴あきフィルタスクリーン２０４および第２側穴あきフィルタスクリーン２０８の内面に対して当接し、それによって、第１側穴あきフィルタスクリーン２０４および第２側穴あきフィルタスクリーン２０８が入口スクレーパ１４０のそばを通り過ぎて回転するとき、第１側穴あきフィルタスクリーン２０４および第２側穴あきフィルタスクリーン２０８の内面を掻き取る。第２に、中央シール７６のスクレーパ部分８４は、スクレーパ部分８４の側面１０６から外側に延びる複数の固形状物スクレーパ１４２（図１２参照）を含む。固形状物スクレーパ１４２は、第１側穴あきフィルタスクリーン２０４および第２側穴あきフィルタスクリーン２０８が、入口スクレーパ１４０のそばを通り過ぎて回転するとき、第１側穴あきフィルタスクリーン２０４および第２側穴あきフィルタスクリーン２０８の内面に対して当接し、それによって、第１側穴あきフィルタスクリーン２０４および第２側穴あきフィルタスクリーン２０８が中央シール７６のスクレーパ部分８４のそばを通り過ぎて回転するとき、第１側穴あきフィルタスクリーン２０４および第２側穴あきフィルタスクリーン２０８の内面を掻き取る。第３に、中央シール７６のスクレーパ部分８４は、スクレーパ部分８４の側面１０６における一対の洗浄ノズル１４４を含む。スクレーパ部分８４は、スクレーパ部分８４を通ってスクレーパ部分８４（図１３参照）の端面１０８における洗浄液入口１４８を有するボア１４６を含む。図２および図３に示されるように、水供給部２９に入る水も、スクレーパ部分８４における洗浄液入口１４８に、そして、その後、ボア１４６の中に向けることができる。その後、水は、スクレーパ部分８４の側面１０６の洗浄ノズル１４４を通して、ボア１４６から放出され、それによって、それらがスクレーパ部分８４のそばを通り過ぎて回転するとき、第１側穴あきフィルタスクリーン２０４および第２側穴あきフィルタスクリーン２０８を洗浄する。それゆえに、システム１０の使用中（すなわち、マスが液体除去される間）、ノズル１４４が第１側穴あきフィルタスクリーン２０４および第２側穴あきフィルタスクリーン２０８を洗浄しクリーニングすることができることが熟考される。最終的に、液体抽出アセンブリ全体は、上で説明したように、水または洗浄液を、衛生穴６０’，６０それぞれを通して内側ハウジングシェル４８および外側ハウジングシェル４６の中に注入することによって、洗浄することができる。
【００３０】
図示された実施形態では、液体抽出プレス機１１の出口は、中央シール７６のスクレーパ部分８４の底面１０４によって画定された頂壁、中央シールの出口伸長部９２の角度が付いた頂面９６によって画定された底壁、外側ハウジングシェル４６の伸長部８０によって画定された第１側壁、および側壁７２によって画定された第２側壁を含む。図示された例では、上で説明したように、出口の頂壁が水平であり、底壁が外側に先細りするので、出口は外側に先細りし、したがって、マスが出口（図１９Ｂ参照）を通るとき、マスが小さな領域から大きな領域に通る。さらに、側壁は、上で説明したように、平行であるか、または側壁７２が外側に先細りする。このような配置は図１９Ｂに示されている。しかしながら、出口の頂壁、底壁、第１側壁および／または第２側壁が外側に先細りすることができることが熟考される。例えば、図１９Ｃに示されるように、中央シール７６のスクレーパ部分８４の底面１０４は、外側に先細りすることができ、それによって頂部および底部の外側に先細りする壁を出口に設けることができる。さらに、出口の底壁が水平であることができ、頂壁が、中央シール７６のスクレーパ部分８４の底面１０４が外側に先細りすることによって、外側に先細りできることが熟考される。さらに、出口の側壁の両方を外側に先細りするために選択的に移動させることができるように、出口の両方の側壁が、（外側ハウジングシェル４６が開口部７０および第２側壁７２を含んで、）上で説明されたような側壁７２を有することができることが熟考される。さらに、図１９Ｄに示されるように、静止した側壁７２’を移動可能な側壁７２の下または上に位置するようにして、側壁７２が出口の側壁の一部分のみを含むことができることが熟考される。さらに、出口の側壁間の距離が側壁の底部よりも頂部で短くなるように、出口の側壁の両方が、図１９Ｅに示されるように、出口の頂壁から出口の底壁への方向に、外側に先細りすることができることが熟考される。
【００３１】
参照符号７６ａ（図２０）は、一般に、中央シールのための第２の実施形態を有する本発明の別の実施形態を示す。中央シール７６ａが前に説明した中央シール７６と同様であるので、図１２から図１３と図２０とにそれぞれ現れる同様の部分は、後者の符号の接尾辞「ａ」を除けば、同一の対応する参照符号によって表される。中央シール７６ａは、内側に先細りする入口を含む。入口の始まり２０２が入口の端部２０４よりも小さくなるように、ハウジング１８ａの入口および中央シール７６ａは、入口の後部２００に向かって外側に先細りする。第１入口プレート８６ａ、第２入口プレート８８ａの頂部、および入口伸長部９０ａの一対の溝９４ａも、入口の端部２０４に向かって外側に先細りする。それゆえに、中央シール７６ａの第２の実施形態では、ハウジング１８ａに入るマスの圧力は、マスが入口に入るとき減少する。残りの中央シール７６ａおよびハウジング１８ａは、上で説明された中央シールのいずれかおよびハウジングのいずれかと同一であることができる。
【００３２】
参照符号１０ｂ（図２１）は、一般に、マスから液体を抽出するためのシステムのための第２の実施形態を有する本発明の別の実施形態を示す。システム１０ｂが前に説明したシステム１０と同様であるので、図１から図１９と図２１とにそれぞれ現れる同様の部分は、後者の符号の接尾辞「ｂ」を除けば、同一の対応する参照符号によって表されている。システム１０ｂの第２の実施形態では、液体抽出プレス機１１ｂおよびその中の全ては、逆さまに向けられ、したがって、液体抽出プレス機１１ｂへの入口が液体抽出プレス機１１ｂの出口の下方に位置し、マスが液体抽出プレス機１１ｂを通って上向きに移動する。しかしながら、ろ液排液部６２ｂは、液体抽出プレス機１１ｂの底部に位置するように続き、したがって、液体が液体抽出プレス機１１ｂから排液されることができるように続く。さらに、衛生穴６０ｂは、液体抽出プレス機１１ｂの頂部に位置するように続く。
【００３３】
参照符号１０ｃ（図２２から図２９）は、一般に、マスから液体を抽出するためのシステムのための第３の実施形態を有する本発明の別の実施形態を示す。システム１０ｃが前に説明したシステム１０と同様であるので、図１から図１９と図２２から図２９にそれぞれ現れる同様の部分は、後者の符号の接尾辞「ｃ」を除けば、同一の対応する参照符号によって表されている。システム１０ｃの第３の実施形態では、液体抽出プレス機１１ｃへの入口が液体抽出プレス機１１ｃの出口の下方に位置し、マスが液体抽出プレス機１１ｃを通って上向きに移動するように、液体抽出プレス機１１ｃおよびその中の全ては、（システム１０ｂの第２の実施形態におけるように）逆さまに向けられている。しかしながら、ろ液排液部６２ｃは、液体抽出プレス機１１ｃの底部に位置するように続き、したがって、液体は、液体抽出プレス機１１ｂから排液されることができるように続く。さらに、（液体抽出プレス機１１ｃが、液体抽出プレス機１１ｂと同一に機能するように続くが、）液体抽出プレス機１１ｃは、下で説明されるように、僅かに異なる形態を有する。図２２が上で説明したようなシステム１０の要素と同一である、システム１０ｃの残りの要素（プラットフォーム、システムマス流入部、ポリマー供給混合システム、大部分のパイプなど）を有する、液体抽出アセンブリ４０ｃおよびモータアセンブリ４４ｃのみを示す、システム１０ｃの部分的な図面であるということが留意される。
【００３４】
図示された例では、液体抽出システム１１ｃは、外側ハウジングアセンブリ４６ｃおよび内側ハウジングアセンブリ４８ｃを含むハウジング４２ｃを備える。内側ハウジングアセンブリ４８ｃ（図２２、図２３、図２５、図２６、および図２７）は、内側の平坦なベースパネル３００と、内側シェル部材３０２とを含む。内側の平坦なベースパネル３００および内側シェル部材３０２は、図２５に示されるような閉じられた端部を有して、実質的にＣ形である側面図の外形を有する。内側の平坦なベースパネル３００および内側シェル部材３０２は、同一の外縁寸法を有する。内側の平坦なベースパネル３００は、その中で中央に位置する駆動シャフト開口５０ｃと、（それゆえに、システム１１の第１の実施形態におけるように液体抽出システムの底部の代わりに液体抽出システム１１ｃの側面から延びる）ろ液排液部６２ｃに連結された開口３０４とを含む。内側シェル部材３０２は、大きな中央開口３０６を含み、それによって内側シェル部材３０２におけるＣ形壁３０１および端部壁３０３を画定する。内側シェル部材は、大きな中央開口３０６に隣接する内側外縁溝３０８も含む。内側外縁溝３０８は、第１側駆動ホイール２０２ｃの外側フランジ３１０を収容するように構成されている。内側シェル部材３０２は、端部壁３０３の中心３１６から延びる、端部壁３０３における上向きに角度が付いた溝３１２および下向きに角度が付いた溝３１４も含む。上向きに角度が付いた溝３１２は、液体抽出システム１１ｃの出口の側壁を画定し、下向きに角度が付いた溝３１４は、液体抽出システム１１ｃの入口の側壁を画定する。外側ハウジングアセンブリ４６ｃは、平坦なベースパネルが駆動シャフト開口を含まないことを除いて、内側ハウジングアセンブリ４８ｃと同一である。さらに、外側ハウジングアセンブリ４６ｃが平坦なベースパネル３００の窓を有することができることが熟考される。
【００３５】
図示された中央シール７６ｃ（図２２から図２４）は、内側ハウジングアセンブリ４８ｃと外側ハウジングアセンブリ４６ｃとの間に配置され、液体抽出アセンブリ４０ｃの液体抽出プレス機１１ｃの１つを通って移動するマスの上方および下方の境界を画定する。中央シール７６ｃは、液体抽出プレス機１１ｃを通るスラッジのための入口および出口も画定する。中央シール７６ｃは、外側Ｃ形部分８２ｃ、スクレーパ部分８４ｃ、第１入口プレート８６ｃ、および第２入口プレート８８ｃを含む。外側Ｃ形部分８２ｃは、頂部部分９０ｃおよび底部部分９２ｃを含む。頂部部分９０ｃは、第１入口プレート８６ｃおよび第２入口プレート８８ｃの頂縁を中に入れるように構成された一対の溝９４ｃを含む。外側Ｃ形部分８２ｃの頂部部分９０ｃは、角度が付いた頂面９６ｃを含む。スクレーパ部分８４ｃは、外側Ｃ形部分８２ｃの頂部部分９０ｃと底部部分９２ｃとの間に位置している。スクレーパ部分８４ｃは、上で説明されたスクレーパ部分８４と同一である。外側Ｃ形部分８２ｃは、望ましくは、輸送を容易にするために２つの部分で作製され、２つの部分を一緒に連結する（図２４参照）ためのパズルピースタイプ連結３０５を含む。
【００３６】
図示された例では、回転スクリーンアセンブリ２００ｃは、中央シール７６ｃを取り囲み、スラッジから液体部分を除去することを補助する。回転スクリーンアセンブリ２００ｃは、第１側駆動ホイール２０２ｃ、第１側穴あきフィルタスクリーン２０４ｃ、第２側穴あきフィルタスクリーン２０８ｃ、および第２側駆動ホイール２１０ｃを含む。第１側駆動ホイール２０２ｃおよび第２側駆動ホイール２１０ｃは、望ましくは同一であるが、向きが反対である。同様に、第１側穴あきフィルタスクリーン２０４ｃおよび第２側穴あきフィルタスクリーン２０８ｃは、望ましくは同一であるが、向きが反対である。
【００３７】
図示された第１側駆動ホイール２０２ｃおよび第２側駆動ホイール２１０ｃは、それぞれ、外側リム２１２ｃ、複数のスポーク２１４ｃ、および内側リム２１６ｃを含む。外側リム２１２ｃおよび内側リム２１６ｃは、実質的に環状である。穴あきスクリーン２０４ｃ，３０８ｃは、内側リム２１６ｃと外側リム２１２ｃとの間に延び、後ろ側で複数のスポーク２１４ｃによって支持されている。複数のスポーク２１４ｃも、外側リム２１２ｃを内側リム２１６ｃに連結する。
【００３８】
図示された例では、中央シール７６ａは、中央シール７６ａの内面に沿ったＣ形帯電プレート５００を含む。Ｃ形帯電プレート５００は、Ｃ形帯電プレート５００に電荷を提供するために、（例えば、直流、交流、または３相の）（例えば、４８ボルトでの）ボルト電力供給部に連結されるように構成されている。Ｃ形帯電プレート５００上の電荷は、マスからの液体の抽出速度を向上させるために、液体抽出アセンブリを通して強制されたマスに正の電荷を与え、回転スクリーン上に負の電荷を与え、それによって、回転スクリーンに向かってマスを引き込む。図３０に示されるように、Ｃ形帯電プレート５００を横切る電荷を作り出すために、液体抽出プレス機１１は、Ｃ形帯電プレート５００の第１縁での負の接触ピン５０１と、Ｃ形帯電プレート５００の第２縁での正の接触ピン５０３とを含むことができる。
【００３９】
参照符号１０ｄ（図３１から図３３Ｂ）は、一般に、マスから液体を抽出するためのシステムのための第４の実施形態を有する本発明の別の実施形態を示す。システム１０ｄが前に説明したシステム１０ｃと同様であるので、図２２から図２９と図３１から図３３Ｂとにそれぞれ現れる同様の部分は、後者の符号の接尾辞「ｄ」を除けば、同一の対応する参照符号によって表されている。システム１０ｄの第４の実施形態では、液体抽出プレス機１１ｄは、外側壁５５０を有する内側ハウジング４６ｄと、外側壁５５２を有する外側ハウジング４８ｄとを含む。内側ハウジング４６ｄおよび外側ハウジング４８ｄの外側壁５００，５５２は、それぞれ、シール５５６を有する、内向きに面する溝５５４を含む。シール５５６は、回転スクリーン２００ｄの外側縁５５８に当接し、それによって液体抽出プレス機１１ｄを通ってマス移動通路をシールするように構成されている。図３１、図３２、および図３３Ｂに示されるように、シール５５６は、外側側面５６０を有するくさび形断面部分、頂面５６２、底面５６４、および角度が付いた当接側面５６６を含む。角度が付いた当接側面５６６は、外側縁５５８の全てまたはかなりの部分に沿って、回転スクリーン２００ｄの外側縁５５８に対して当接する。シール５５６は、いかなるシール材料からできていてもよい。例えば、シール５５６は、Ｒｏｂａｔｅｃ−ＳＡ（７５ショアＤの硬度およびおよそ１．５の比重を有する化合物をベースにした加硫ゴムグラファイト）からできていてもよい。
【００４０】
図示された実施形態では、シール５５６の部分は、シール５５６の外側側面５６０に対して当接する少なくとも１つのプレス装置５７０を介して係合させることができるか、または回転スクリーン２００ｄの外側縁５５８から離れるように移動させることができる。プレス装置５７０は、シール５５６の外周のいくつかの点で、ハウジングの外側からアクセス可能であり、シール５５６の外側側面５６０に対して圧力を掛ける外側壁５５０，５５２の穴５８０に位置する複数のねじ５７２（例えば、アレン位置決めねじ）を備えることができる。プレス装置５７０は、シール５５６の外側側面５６０を内側に強制し、それによってシール５５６の角度が付いた当接側面５６６を回転スクリーン２００ｄの外側縁５５８と係合させるために選択的に作動することができる。代案として、シール５５６の外側側面５６０を外側へ移動させることができ、それによってシール５５６の角度が付いた当接側面５６６を回転スクリーン２００ｄの外側縁５５８から離れるように移動させることができるようにするために、プレス装置５７０は選択的に作動することができる。複数のプレス装置５７０によって、液体抽出プレス機１１ｄのマス移動通路を十分にシールすることができる。図３２に示されるように、プレス装置５７０とシール５５６との間にバンド５８０を配置することができることが熟考される。しかしながら、このようなバンド５８０を必要とせずに、プレス装置５７０は、シール５５６に当接することができる。他のプレス装置５７０（例えば、直線アクチュエータ）を採用することができることがさらに熟考される。シール５５６の外周の異なる領域で、シール５５６のいかなる部分に沿っても、より密封されるシールを形成するために、任意の数のプレス装置５７０を作動させることもできるということが留意される。
【００４１】
図３２Ａは、図３１、図３２、図３３Ａ、および図３３Ｂに示された実施形態への代替を示し、シール５５６に対して、複数のプレス装置５７０によってシール５５６に対して圧力が掛けられるバンド５８０を有する代わりに、少なくとも１つの入口チューブ５８３を有する環状膨張可能チューブ５８１は、シール５５６に対して圧力を掛ける。膨張可能チューブ５８１は、シール５５６に対して圧力を掛けるために、少なくとも１つの入口チューブ５８３を通る空気によって膨らまされる。
【００４２】
参照符号１０ｅ（図３４から図３７）は、一般に、マスから液体を抽出するためのシステムのための第５の実施形態を有する本発明の別の実施形態を示す。システム１０ｅが前に説明したシステム１０ｃと同様であるので、図２２から図２９と図３４から図３７とにそれぞれ現れる同様の部分は、後者の符号の接尾辞「ｅ」を除けば、同一の対応する参照符号によって表されている。システム１０ｅの第５の実施形態では、液体抽出プレス機１１ｅは、分割側壁７２ｅを含む。分割側壁７２ｅは、プレスバー６０２を介して、エアベローズ１３２ｅと相互作用するように構成された中央部分６００を含む。エアベローズ１３２ｅが作動するとき、プレスバー６０２は、上で説明されたように、ヒンジ６０４に沿って中央部分６００を回転させるように、液体抽出プレス機１１ｅの出口を締め付けるために、中央部分６００に対して圧力を掛ける。プレスバー６０２は、付勢部材６１５（例えば、ゴムシリンダ）を介して、分割側壁７２ｅの頂部部分６１０および底部部分６１２に対して圧力を掛ける。出口を通って移動するマスが出口の頂部および底部よりも出口の中央領域で速く移動することが留意されている。液体抽出プレス機１１ｅを出ていくマスが頂部、中央部、および底部で同一速度で出ていくように、分割側壁７２ｅは、出口の中央領域を、出口の頂部および底部より締め付けることができるようにする。付勢部材６１５は、出口を出ていくマスによって圧縮され、それによって頂部部分６１０および底部部分６１２がヒンジ６０４を中心に回転できるようにし、それによってマスが全て液体抽出プレス機１１ｅから実質的に同一の速度で出ていくことができるように構成されている（中央部が頂部および底部よりも締め付けられるので、マスの速度は、垂直方向に沿って一定になる。）。
【００４３】
参照符号１０ｆ（図３８から図５２）は、一般に、マスから液体を抽出するためのシステムのための第６の実施形態を有する本発明の別の実施形態を示す。システム１０ｆが前に説明したシステム１０と同様であるので、図１から図３７と図３８から図５２とにそれぞれ現れる同様の部分は、アルファベットの接尾辞または別の文字の接尾辞がない代わりに、後者の符号の接尾辞「ｆ」を除けば、同一の対応する参照符号によって表されている。システム１０ｆの第６の実施形態では、液体抽出プレス機１１ｆおよびその中の全ては、（システム１０ｂの第２の実施形態におけるように）逆さまに向けられ、したがって、液体抽出プレス機１１ｆへの入口が液体抽出プレス機１１ｆの出口の下方に位置し、マスが液体抽出プレス機１１ｆを通って上向きに移動する。しかしながら、ろ液排液部６２ｆは、液体を液体抽出プレス機１１ｆから連続して排液することができるように、液体抽出プレス機１１ｆの底部に位置し続ける。さらに、（液体抽出プレス機１１ｆが、液体抽出プレス機１１ｂと同一に機能し続けるが、）液体抽出プレス機１１ｆは、下で説明されるように、僅かに異なる形態を有する。図３８が上で説明したようなシステム１０の要素と同一である、システム１０ｆの残りの要素（プラットフォーム、システムマス流入部、ポリマー供給混合システム、大部分のパイプなど）を有する、液体抽出アセンブリ４０ｆおよびモータアセンブリ４４ｆのみを示すシステム１０ｆの部分的な図面であるということが留意される。
【００４４】
図示された例では、システム１０ｆは、シール５８１（図４１Ａから図４１Ｂ参照）、回転スクリーンアセンブリ２００ｆ、および中央シール７６ｆを取り囲む、外側ハウジングシェル４６ｆおよび内側ハウジングシェル４８ｆを含む。システム１０ｆは、以下の４つの特徴である、（１）図３２Ａ（図３８から図４１Ｂ）に関して上で説明されたようなチューブ５８１を膨らませるための入口９００、（２）回転頂部端部１０００（図４２から図４５）を有する、２つの部分の中央シール７６ｆ、（３）スクレーパ溝２０００（図４６から図４７Ｂ）を有する、回転する中央ハブ／スペーサ２０６ｆ、（４）入口ノズル３０００（図４８から図５２）、のうちの少なくとも１つを含む。
【００４５】
図３２Ａ（図３８から図４１Ｂ）に関して、上で説明されたような膨張可能チューブ５８１を膨らませるための図示された入口９００は、図３８から図４０に示されるような一対の入口チューブ５８３に連結されている。膨張可能チューブ５８１を膨らませるように、膨張可能チューブ５８１に圧力下の空気（または他のガス）を供給するために、圧力下の空気源（または他のガス源）が入口９００に連結されるように構成されている。入口９００は、膨張可能チューブ５８１から入口チューブ５８３を介して、圧力下の空気（または他のガス）を放出するための出口として使用することもできる。
【００４６】
図示された例では、回転頂部端部１０００（図４２から図４５）を有する、２つの部分の中央シール７６ｆは、内側ハウジングアセンブリ４８ｆと外側ハウジングアセンブリ４６ｆとの間に配置され、液体抽出プレス機１１ｆの１つを通って移動するマスの上方および下方の境界を画定する。中央シール７６ｆは、液体抽出プレス機１１ｆを通るスラッジのための入口および出口の一部分も画定する。中央シール７６ｆは、外側Ｃ形部分８２ｆ、スクレーパ部分８４ｆ、および入口伸長部１００２を含む。外側Ｃ形部分８２ｆは、メイン静止部分１００４および回転頂部端部１０００を備える。２つの部分を一緒に連結する（図４２参照）ためのパズルピースタイプ連結１００５を含むことによって輸送を容易にするために、メイン静止部分１００４は、２つの部分で作製することができる。メイン静止部分１００４の頂部端部は、丸みを帯びた縁表面１００６を含む。回転頂部端部１０００は、メイン静止部分１００４の丸みを帯びた縁表面１００６と係合するように構成された円形端部１００８と、逆さＴ形端部１０１０とを含む。図４２に示されるように、回転頂部端部１０００の円形端部１００８は、（内側ハウジングアセンブリ４８ｆ、外側ハウジングアセンブリ４６ｆ、および円形端部１００８の回動点１０１２を通って延びるピン１０１４を介して、）回動点１０１２を中心に回動する。さらに、図４２にも示されるように、回転頂部端部１０００の逆さＴ形端部１０１０を連結したアクチュエータ１０１５を使用することによって、回転頂部端部１０００は、出口を締め付けるために使用される。液体抽出プレス機１１ｆは、回転頂部端部１０００（図３８、図３９、図４３、および図４５参照）の上向きの動きを回避するための当接プレート１０５０を含むことができる。図示された例では、回転頂部端部１０００のみが出口を締め付けるために使用される一方、上で説明されたような出口を締め付けるために出口の側壁を使用できることが熟考される。スクレーパ部分８４ｆは、上で説明されたスクレーパ部分８４と実質的に同様である。
【００４７】
図４２、図４６、および図４８に示されるように、複数のスクレーパ１４０ｆは、中央シール７６ｆの外側Ｃ形部分８２ｆのメイン静止部分１００４から延びている。スクレーパ１４０ｆは、マスの通り道の高さ全体に沿って延びており、回転する中央ハブ／スペーサ２０６ｆの中に延びている。回転する中央ハブ／スペーサ２０６ｆは、スクレーパ１４０ｆがマスの通り道の高さ全体に沿って延びることができるように、スクレーパ１４０ｆの端部２００２を収容するための、回転する中央ハブ／スペーサ２０６ｆの外縁上の一対のスクレーパ溝２０００を含む。
【００４８】
図３８、図３９、および図４８に示されるように、液体抽出プレス機１１ｆへの入口は、マスを液体抽出プレス機１１ｆの中に強制するための入口ノズル３０００を含む。入口ノズル３０００は、ベースプレート３００２と、ベースプレート３００２から延びるノズルハウジング３００４とを含む。ノズルハウジング３００４は、第１側壁３００８、第２側壁３０１０、頂壁３０１２、および底壁３０１４を備える。ノズルハウジング３００４は、ベースプレート３００２の入口３０１６および出口３０１８も含む。入口３０１６は、出口３０１８よりも大きく、それによってノズルを形成する。図４８は、入口ノズル３０００の第１形態を示し、図４９は、入口ノズル３０００の第２形態を示し、図５０から図５２は、入口ノズル３０００の第４形態を示す。入口ノズル３０００の全ての形態において、マス出口入口ノズル３０００は、液体抽出プレス機１１ｆを通るマスの通り道に対する接線に実質的に平行な方向である。図４９から図５２に示されるように、ノズルハウジング３００４の圧力を再現するために第１側壁３００８および／または第２側壁３０１０を曲げることができるように、入口ノズル３０００は、第１側壁３００８および／または第２側壁３０１０の細長穴３０２０を含むことができる。図３８に示されるように、ベースプレート３００２は、入口ノズル３０００を液体抽出プレス機１１ｆに連結するために、内側ハウジングアセンブリ４８ｆおよび外側ハウジングアセンブリ４６ｆに連結されている。
【００４９】
参照符号１０ｇ（図５３から図５４）は、一般に、マスから液体を抽出するためのシステムのための第７の実施形態を有する、本発明の別の実施形態を示す。システム１０ｇは、前に説明したシステム１０ｆと同様であるので、図３８から図５２と図５３から図５４とにそれぞれ現れる同様の部分は、接尾辞「ｆ」の代わりの、後者の符号の接尾辞「ｇ」を除けば、同一の対応する参照符号によって表されている。システム１０ｇの第７の実施形態では、液体抽出プレス機１１ｇは、ハウジング４２ｇに連結されたオーガアセンブリ４０００を含む。オーガアセンブリ４０００は、液体抽出プレス機１１ｇを通るマスの通り道の中に延びるオーガ４００８を含む。オーガ４００８は、マスからの液体抽出を向上させるようにマスを混合するために、パスの内部で、マスを回転させ移動させる。上で説明された液体抽出プレス機に対して、スクリーンに当接するマスは、マスから除去される最高の割合の液体を有する。より多くの液体が穴あきスクリーン２０８ｇ（および図５３に示されていない穴あきスクリーン２０４）を強制的に通過できるように、マスの均一性を向上させるように移動させるために、マスが通り道を通って部分的に移動した後、システム１０ｇの第７の実施形態のオーガ４００８は、マスを混合する。システム１０ｇの第７の実施形態では、穴あきスクリーンは、（真っ直ぐな、曲がった、および／または中断した）いかなる形の穴または細長穴も含むことができる。
【００５０】
図示された例では、オーガアセンブリ４０００は、モータハウジング４００２、伝達ハウジング４００４、一対の連結ブラケット４００６、およびオーガ４００８を含む。モータハウジング４００２は、（図示されていない）回転出力を有するモータを保持する。モータハウジング４００２のモータは、いかなる方法（例えば、交流モータ）でも動力を供給することができる。モータハウジング４００２のモータからの回転出力は、伝達ハウジング４００４の中に延びている。伝達ハウジング４００４は、モータハウジング４００２のモータからオーガ４００８に回転運動を伝達するための直角ギヤを備える。伝達ハウジング４００４が直角のオーガ４００８に動きを伝達するように示されている一方、モータハウジング４００２のモータからの回転出力が伝達ハウジング４００４を通るように、オーガアセンブリ４０００は、伝達ハウジング４００４なしで使用することができるか、またはモータからの出力は、オーガ４００８と同一線上であることができることが熟考される。一対の連結ブラケット４００６が、ハウジング４２ｇに面する伝達ハウジング４００４の面４０１０から延びている。図５３および図５４に示されるように、連結ブラケット４００６は、中央開口４０１４を有する平行プレート４０１２である。伝達ハウジング４００４の面４０１０とは反対側のプレート４０１２の縁４０１６が湾曲し、複数の開口４０１８が縁４０１６に隣接している。オーガアセンブリ４０００は、中央シール７６ｇを通してオーガ４００８を延ばし、外側ハウジングシェル４６ｇのフランジ５６ｇおよび（図５３に示されていない）内側ハウジングシェルのフランジを覆うように連結ブラケット４００６を位置決めし、連結ブラケット４００６のプレート４０１２の開口４０１８をフランジ５６の開口７４に合わせることによって、ハウジング４２ｇに連結され、したがって、フランジ５６を通って延びる締結体は、連結ブラケット４００６およびオーガアセンブリ４０００も保持する。
【００５１】
図示されたオーガアセンブリ４０００のオーガ４００８は、通り道のマスを混合するために通り道の中に延びている。オーガ４００８は、円筒の第１部分４０２０と、フィン付きの第２部分４０２２とを含む。円筒の第１部分４０２０は、伝達ハウジング４００４から中央シール７６ｇを通って延びている。フィン付きの第２部分４０２２は、円筒シャフト４０２４と、円筒シャフト４０２４から径方向に延びるらせん形のフィン４０２６とを含む。らせん形のフィン４０２６が（図示されたような）一貫した形を有することができるか、または巻き部がオーガ４００８の端部に向かって近いできることが熟考される。穴あきスクリーン２０８ｇ（および穴あきスクリーン２０４）から離れるように固形物材料を移動させるのを手助けするために、円筒シャフト４０２４から離れたらせん形のフィン４０２６の端面４０２８を、穴あきスクリーン２０８ｇ（および穴あきスクリーン２０４）から間隔をあけて配置することができるか、または穴あきスクリーン２０８ｇ（および穴あきスクリーン２０４）に対して当接させることができる。らせん形のフィン４０２６の端面４０２８は、堅い材料（例えば、金属またはポリマー）で形成することができるか、または柔らかい（例えば、ゴム）ことを可能にすることが熟考される。らせん形のフィン４０２６の外側の直径をオーガ４００８の長さに沿って変更できることも熟考される。オーガ４００８が他の形（例えば、コークスクリュー形）を有することができることが熟考される。さらに、オーガ４００８はスクレーパ部分８４ｇの頂部と実質的に平行であるように示されているが、通り道の内部でいかなる角度にも、そして通り道の内部でいかなる距離に沿ってもオーガ４００８を位置決めできることが熟考される。さらに、オーガ４００８はいかなる位置でも通り道に入ることができ、複数のオーガアセンブリ４０００を使用できることが熟考される。（オーガの通り道の断面領域を小さくする）オーガ４００８のサイズのために、および／またはオーガ４００８それ自体のために、出口に隣接する通り道のマスの圧力をオーガ４００８が増加させることができ、オーガ４００８が、（例えば、オーガ４００８の遠位端部に向かって移動するフィンのそれぞれのリング間の短い距離を有する４００８フィンを有するオーガを使用することによって、）マスの圧縮を引き起こすことができることが熟考される。
【００５２】
参照符号１０ｈ（図５５から図６１）は、一般に、マスから液体を抽出するためのシステムのための第８の実施形態を有する、本発明の別の実施形態を示す。システム１０ｈは、前に説明したシステム１０ｇと同様であるので、図５３から図５４と図５５から図６１とに現れる同様の部分は、それぞれ、後者の符号の接尾辞「ｈ」を除けば、接尾辞「ｇ」の代わりに、または接尾辞なしに、同一の対応する参照符号によって表される。システム１０ｈの第８の実施形態は、僅かに異なるオーガ４００８ｈおよび中央シール７６ｈを除けば、システム１０ｇの第７の実施形態と同一である。
【００５３】
図示されたオーガアセンブリ４０００ｈのオーガ４００８ｈは、通り道のマスを混合するために通り道の中に延びている。オーガ４００８ｈは、円筒の第１部分４０２０ｈと、フィン付きの第２部分４０２２ｈとを含む。フィン付きの第２部分４０２２ｈは、円筒シャフト４０２４ｈ、および円筒の第１部分４０２０ｈの円筒シャフト４０２４ｈから径方向に延びるらせん形のフィン４０２６ｈを含む。らせん形のフィン４０２６ｈは、らせん形のフィン４０２６ｈの第１巻き部５００２が広いスペース（すなわち、広いピッチ）を有する第１部分５０００と、らせん形のフィン４０２６ｈの第２巻き部５００６が狭いスペース（すなわち、狭いピッチ）を有する、オーガ４００８ｈの端部に向かって近い第２部分５００４とを有する。穴あきスクリーン２０８ｈ（および２０４）から離れた固形物材料を移動させるのを手助けするために、円筒シャフト４０２４ｈから離れたらせん形のフィン４０２６ｈの端面４０２８ｈが、穴あきスクリーン２０８ｈ（および２０４）に当接する。
【００５４】
図示された例では、中央シール７６ｈは、オーガ４００８ｈの頂部を中に入れるためのオーガ４００８ｈの頂部に隣接するチャネル５０１０（図５６から図５８参照）を含む。中央シール７６ｈは、左側部分５０１２（図５９）、中央部分５０１４（図６０）、右側部分５０１６（図５９の鏡像）、および中央伸長部分５０１８（図６１）を含む。中央シール７６ｈは、向かい合った一対の穴あきスクリーン２０４，２０８ｈ間に位置している。中央シール７６ｈは、Ｃ形であり、中央部分５０１４の端部の上方に、中央エクステンシオ（ｅｘｔｅｎｓｉｏ）部分５０１８の下方に、左側部分５０１２と右側部分５０１６との間に入口５０２０を含む。中央シール７６ｈは、Ｃ形領域の開口で出口５０２２を画定する。
【００５５】
本発明の概念から逸脱することなく、前述の構造に関して変形形態および修正形態を作成することができることが理解されるべきであり、さらに、そのような概念は、明示的に述べられていない場合、この中に含まれることが意図されていることが理解されるべきである。例えば、Ｃ形帯電プレート５００、シール５５６、および分割側壁７２ｅは、マスからの液体の抽出速度を向上させるために、ここで説明された液体抽出アセンブリのいずれにおいても使用することができる。さらに、液体抽出プレス機１１ｃの第３の実施形態は、出口を入口の下方にして、右側を上にすることができる。さらに、通り道を通って移動するマスに関して同一の効果を有するように、オーガの代わりに、またはオーガに追加的なものにおいて、いかなる攪拌アームも使用することができることが熟考される。さらに、これらの請求項がそれらの用語によって明示的に述べられていない場合、このような概念が以下の特許請求の範囲によって含まれることが意図されていることが理解されるべきである。
【産業上の利用可能性】
【００５６】
本発明のオーガを有する回転ファンプレス機は、各種の液体抽出システムに適用可能である。 
【符号の説明】
【００５７】
１０  マスから液体を抽出するためのシステム 
１１  液体抽出プレス機 
１８  ポリマー供給混合システム 
２７  マス供給ポンプ 
４０  液体抽出アセンブリ 
４４  モータアセンブリ 
４６  外側ハウジングシェル 
４８  内側ハウジングシェル 
２００  回転スクリーンアセンブリ 
４０００  オーガアセンブリ 
４００８  オーガ
【図１】
0006557254.tif 000002
【図２】
0006557254.tif 000003
【図３】
0006557254.tif 000004
【図４】
0006557254.tif 000005
【図５】
0006557254.tif 000006
【図６】
0006557254.tif 000007
【図６Ａ】
0006557254.tif 000008
【図７】
0006557254.tif 000009
【図８】
0006557254.tif 000010
【図９】
0006557254.tif 000011
【図１０】
0006557254.tif 000012
【図１１】
0006557254.tif 000013
【図１２】
0006557254.tif 000014
【図１３】
0006557254.tif 000015
【図１４】
0006557254.tif 000016
【図１５】
0006557254.tif 000017
【図１６】
0006557254.tif 000018
【図１７】
0006557254.tif 000019
【図１８】
0006557254.tif 000020
【図１９】
0006557254.tif 000021
【図１９Ａ】
0006557254.tif 000022
【図１９Ｂ】
0006557254.tif 000023
【図１９Ｃ】
0006557254.tif 000024
【図１９Ｄ】
0006557254.tif 000025
【図１９Ｅ】
0006557254.tif 000026
【図２０】
0006557254.tif 000027
【図２１】
0006557254.tif 000028
【図２２】
0006557254.tif 000029
【図２３】
0006557254.tif 000030
【図２４】
0006557254.tif 000031
【図２５】
0006557254.tif 000032
【図２６】
0006557254.tif 000033
【図２７】
0006557254.tif 000034
【図２８】
0006557254.tif 000035
【図２９】
0006557254.tif 000036
【図３０】
0006557254.tif 000037
【図３１】
0006557254.tif 000038
【図３２】
0006557254.tif 000039
【図３２Ａ】
0006557254.tif 000040
【図３３Ａ】
0006557254.tif 000041
【図３３Ｂ】
0006557254.tif 000042
【図３４】
0006557254.tif 000043
【図３５】
0006557254.tif 000044
【図３６】
0006557254.tif 000045
【図３７】
0006557254.tif 000046
【図３８】
0006557254.tif 000047
【図３９】
0006557254.tif 000048
【図４０】
0006557254.tif 000049
【図４１Ａ】
0006557254.tif 000050
【図４１Ｂ】
0006557254.tif 000051
【図４２】
0006557254.tif 000052
【図４３】
0006557254.tif 000053
【図４４】
0006557254.tif 000054
【図４５】
0006557254.tif 000055
【図４６】
0006557254.tif 000056
【図４７Ａ】
0006557254.tif 000057
【図４７Ｂ】
0006557254.tif 000058
【図４８】
0006557254.tif 000059
【図４９】
0006557254.tif 000060
【図５０】
0006557254.tif 000061
【図５１】
0006557254.tif 000062
【図５２】
0006557254.tif 000063
【図５３】
0006557254.tif 000064
【図５４】
0006557254.tif 000065
【図５５】
0006557254.tif 000066
【図５６】
0006557254.tif 000067
【図５７】
0006557254.tif 000068
【図５８】
0006557254.tif 000069
【図５９】
0006557254.tif 000070
【図６０】
0006557254.tif 000071
【図６１】
0006557254.tif 000072